(57)【要約】【課題】調節可能チャイルドキャリアの提供。【解決手段】調節可能チャイルドキャリアは、広範囲のサイズの子供を収容するように調節され得る、調節可能バケットシートを含む。チャイルドキャリアは、単独で、または協働して機能し、チャイルドキャリアによって提供されるバケットシート面積の深度および幅を調節する、１つ以上の調節部を含む。キャリアは、種々のサイズの子供を、子供のサイズのために適切な人間工学的位置に支持可能である。チャイルドキャリアは、装着者の腰部を中心として固着するために適合される、ウエストベルトと、ウエストベルトに結合される、主要本体とを含む。【選択図】なし【特許請求の範囲】
【請求項１】
本明細書に記載の発明。
【発明の詳細な説明】
【技術分野】
【０００１】
（関連出願）
本出願は、３５ＵＳＣ§１１９（ｅ）下で２０１５年１０月３０日に出願された、Ｒｏｄｎｅｙ  Ｔｅｌｆｏｒｄによる「Ｂａｂｙ  Ｃａｒｒｉｅｒ」という題名の米国仮特許出願第６２／２４８，７４５号に対して優先権の利益を主張する。上記文献の全ての内容は、参照することによって本明細書において援用される。
【０００２】
（技術分野）
本開示は、チャイルドキャリアに関する。より具体的には、本開示は、子供が成長するにつれて子供を人間工学的に運搬するように適合可能なチャイルドキャリアに関する。
【背景技術】
【０００３】
（背景）
種々のチャイルドキャリアが、現在、両親または他の個人によって子供を移送するために利用可能である。チャイルドキャリアは、子供を運搬する際、装着者に手および腕の移動の自由をもたらすため、乳児および小児を運搬するために人気となっている。子供の安全の追求において、これらのデバイスのいくつかは、とりわけ、剛性シートおよびフレームを伴って、過度に複雑となっており、これは、キャリアの重量を大幅に増加させ、子供の成長に適応することもできない。これらの複雑なキャリアは、比較的に重く、過度の歪みを、装着者に、特に、腰椎領域にかける。加えて、今日のキャリアの多くのサイズのため、それらは、背中のみに装着され、したがって、子供に、子供とその母親が対面関係となり得る位置の快適性および安全性を与えることができない。
【０００４】
軟質の構造化されたキャリアは、それらがより軽量であり、あまり煩雑ではなく、より装着が快適であるため、ますます人気になっている。これらのキャリアは、構造を提供するために、剛性フレームではなく、詰め物、縫製、および布地を組み込む。しかしながら、いくつかの軟質の構造化されたキャリアは、子供の脚部が下方に吊架し、子供の背骨の付け根が、子供の体重を支持する状態で、子供を直立位置に保持する。本位置は、乳児および他の若年の子供にとって最適ではあり得ない。成人の背骨は、４つの湾曲を有するが、幼児の背骨は、２つのみの湾曲を有する。幼児の背骨の大部分は、Ｃ−形状（いわゆる全後彎）を形成するであろう。幼児、特に、乳児を直立位置に位置付けることは、背骨の湾曲を過度に限定し、乳児の仙骨に応力をかけ得る。これは、乳児の骨盤を後方に傾斜させ、脚部および腰部移動を限定し得、これは、乳児の骨盤の健康な発達を妨害し得る。
【０００５】
さらに、従来の軟質の構造化されたキャリアは、通常、非常に限定された年齢、体重、およびサイズの子供のために設計され、ある範囲の年齢に適応するために、キャリアの形状に関して妥協される。キャリアが、ある年齢／体重／サイズにおける子供の人間工学的位置付けを支援する場合でも、同一キャリアを利用しながら、その年齢の範囲を通して子供を人間工学的位置に位置付けることは、異なる子供が、異なる速度で発達し、子供の解剖学的構造および生理学が、乳児期と小児期との間で大きく変化するため、問題を呈する。
【０００６】
乳児またはより低年齢児のために設計されるキャリアは、キャリアのシートおよび背面支持部分が小さすぎるであろうため、子供が小児期に成長するにつれて、子供を収容し得ない。キャリアをより適合可能にする試みとして、いくつかのキャリアは、子供の成長に適応するために拡張し得る（例えば、付加的背面パネル材料を展開する、または新しいパネルを取り付けることによって）、展開され、シートに追加され、シートおよび／または背面パネルを広げることができる、付加的パネルを提供する。しかしながら、単に、シートを広げる、またはキャリアを延長させることは、適切な人間工学に適正に対処するものではない。
【０００７】
一方、より高年齢児のために設計されるキャリアは、乳児を適切に支持し得ない。本問題に対する１つの解決策は、特別に設計された「乳児用インサート」の使用である。一般に、乳児用インサートは、付加的詰め物および構造を組み込み、そうでなければ乳児を適切に支持しないであろう、小さな乳児をキャリア内で運搬することを可能にする、付属品である。しかしながら、全てのキャリアが、乳児用インサートの使用に対応するわけではない。さらに、設計に応じて、乳児用インサートは、煩雑、非直感的、かつ容易に紛失され得る。特に、別個の乳児用インサートの使用は、両親が２つの別個のデバイスを保管することを要求し得、装着者のためのキャリアの構成、キャリアの装着、またはキャリアへの子供の出し入れの困難度を有意に増加させ得る。
【０００８】
前述の問題に起因して、両親は、多くの場合、子供が成長するにつれてキャリアを交換することを選ぶ。
【発明の概要】
【発明が解決しようとする課題】
【０００９】
（要約）
本明細書に説明される実施形態は、赤ちゃんのサイズに適合され、キャリア調節性の範囲を通して子供の人間工学的位置付けを提供することができる、装着可能チャイルドキャリアを提供する。
【課題を解決するための手段】
【００１０】
一実施形態によると、チャイルドキャリアは、装着者の腰部を中心として固着するために適合される、ウエストベルトと、ウエストベルトに結合される、主要本体とを含み、主要主体は、装着者の胴体と協働する、子供運搬面積を形成するように適合される。主要本体は、少なくとも子供の胴体を支持するために構成される、胴体支持部分と、複数のバケットシート構成において構成可能な調節可能バケットシートであって、複数のバケットシート構成のそれぞれは、異なる、バケットシート深度およびバケットシート幅を有し、子供を蹲踞位置において対応するサイズ範囲内に支持するように適合される、バケットシートとを含むことができる。一実施形態では、複数のバケットシート構成は、乳児用インサートを伴わずに、乳児を蹲踞位置に支持するように適合される構成を備える。複数のバケットシート構成は、小児を蹲踞位置に支持するように適合される構成を含んでもよい。
【００１１】
チャイルドキャリアは、バケットシート深度およびバケットシート幅を調節するように適合される、１つ以上の調節面積を含むことができる。一実施形態では、チャイルドキャリアは、バケットシート深度に依存する、最小装着可能高さを有する。
【００１２】
一側面によると、複数のバケットシート構成は、子供を第１の蹲踞位置における第１のサイズ範囲内に支持するように適合される、第１の構成と、子供を第２の蹲踞位置における第２のサイズ範囲内に支持するように適合される、第２の構成とを備える。第１の構成は、第１のバケットシート幅および第１のバケットシート深度を有してもよく、第２の構成は、第２のバケットシート幅および第２のバケットシート深度を有してもよく、第１のバケットシート幅は、第２のバケットシート幅未満であり、第１のバケットシート深度は、第２のバケットシート深度を上回る。
【００１３】
一実施形態では、主要本体はさらに、ウエストベルトおよび胴体支持部分に結合される、シート中心部分と、シート中心部分の両側上に配置される、腿支持体とを備える。腿支持体は、子供の腿の下を通過し、それを支持し、シート中心部分と協働し、バケットシートを形成するように適合されることができる。キャリアはさらに、各腿支持体に結合される、基部幅アジャスタを含むことができる。基部幅アジャスタは、複数の場所においてウエストベルトに選択的に結合し、ウエストベルトにおける主要本体の幅を調節するために構成されることができる。基部幅アジャスタはまた、複数の場所においてウエストベルトに選択的に結合し、バケットシート深度を調節するために構成されることができる。
【００１４】
チャイルドキャリアは、バケットシートの膨らみを制御するように適合される、１つ以上の布地成形部材を含んでもよい。一実施例として、布地成形部材は、腿支持体とシート中心部分との間に配置される、ダーツを備えてもよく、ダーツは、基部幅アジャスタの調節に応答して、開閉するように適合される。基部幅アジャスタは、最大バケットシート深度に対応する第１の設定および最小バケットシート深度に対応する第２の設定において構成可能であってもよく、ダーツまたは他の布地成形部材は、第１の設定に対応する第１の形状および第２の設定に対応する第２の形状を有する。
【００１５】
一実施形態によると、シート中心部分は、側方外側縁を備え、腿支持体は、側方内側縁を備える。布地成形部材は、側方外側縁と側方内側縁との間に配置されてもよい。基部幅アジャスタは、側方内側縁を側方外側縁に対して回転させるための回転を通して、布地成形部材を開閉するように調節可能であることができる。さらに、基部幅アジャスタの調節は、バケット深度／形状を増減させることができる。
【００１６】
キャリアはさらに、腿支持体に結合される、腿幅アダプタを備える、腿幅アジャスタを含んでもよく、腿幅アダプタは、バケットシートの幅を調節することができる。
【００１７】
キャリアはまた、内側の折り下げられた位置において構成可能な頸部支持体を含んでもよく、頸部支持体は、子供の頸部を支持するために子供運搬面積内に位置付けられる。頸部支持体はまた、延在された位置において、より大きい子供のための付加的キャリア長さおよび支持または眠っている赤ちゃんのための付加的頸部支持体および被覆率を提供するように構成されてもよい。頸部支持体はまた、外側の折り下げられた位置において構成可能であってもよい。
【００１８】
一実施形態によると、チャイルドキャリアを構成する方法は、運搬される子供に対して、チャイルドキャリアのバケットシートを子供のサイズに調節することと、子供が人間工学的蹲踞位置に支持されるように、子供をチャイルドキャリアの子供運搬面積内に位置付けることとを含むことができる。バケットシートを子供のサイズに調節することは、子供のサイズに対応する基部幅設定のための位置において、チャイルドキャリアの基部幅アジャスタをチャイルドキャリアのウエストベルトに結合することによって、バケットシートの深度を構成することと、腿幅アダプタを調節し、バケットシートの幅を調節することとを含むことができる。バケットシートの深度を構成することはさらに、基部幅アジャスタを回転させ、ダーツを開閉することを含んでもよい。本方法はさらに、子供運搬面積の一部を充填し、子供の頸部を支持するように、調節可能頸部支持体を構成することを含んでもよい。
【００１９】
本明細書に説明される実施形態は、人間工学的バケットシートが、新生児から小児までの赤ちゃんの成長に併せて徐々に調節し、赤ちゃんが、複数の段階において、人間工学的蹲踞、すなわち、自然な「Ｍ形状」位置に着座されることを可能にするため、従来のキャリアに優る利点を提供する。
【００２０】
付加的利点として、本明細書に説明される実施形態は、シート形状を変化させるために、キャリアに構造を追加する、またはそこから除去することを要求しない、調節可能シート形状を提供することができる。例えば、いくつかの実施形態は、乳児のための乳児用インサートを要求せずに、乳児およびより大きい子供を収容することができる。
【００２１】
本明細書に説明される実施形態は、シートにパネルを追加する、またはそこから除去せずに、キャリアシート形状の容易な調節を可能にするための別の利点を提供することができる。
【００２２】
本明細書に説明される実施形態は、キャリアに、キャリアの全体的長さを延長するための複雑な機構を要求せずに調節され得る、装着可能長さを提供することによって、別の利点を提供することができる。
本発明は、例えば、以下を提供する。
（項目１）
チャイルドキャリアであって、
装着者の腰部を中心として固着するために適合されたウエストベルトと、
前記ウエストベルトに結合された主要本体であって、前記主要本体は、装着者の胴体と協働する子供運搬面積を形成するように適合され、前記主要本体は、
少なくとも子供の胴体を支持するために構成された胴体支持部分と、
複数のバケットシート構成に構成可能な調節可能バケットシートであって、前記複数のバケットシート構成のそれぞれは、異なる、ａ）バケットシート深度およびｂ）バケットシート幅を有し、子供を蹲踞位置における対応するサイズ範囲内に支持するように適合されている、バケットシートと
を備える、主要本体と
を備える、チャイルドキャリア。
（項目２）
前記複数のバケットシート構成は、
子供を第１の蹲踞位置における第１のサイズ範囲内に支持するように適合された第１の構成と、
子供を第２の蹲踞位置における第２のサイズ範囲内に支持するように適合された第２の構成と
を備え、
前記第１の構成は、第１のバケットシート幅および第１のバケットシート深度を有し、前記第２の構成は、第２のバケットシート幅および第２のバケットシート深度を有し、前記第１のバケットシート幅は、前記第２のバケットシート幅未満であり、前記第１のバケットシート深度は、前記第２のバケットシート深度を上回る、項目１に記載のチャイルドキャリア。
（項目３）
前記バケットシート深度および前記バケットシート幅を調節するように適合された１つ以上の調節面積をさらに備える、項目１に記載のチャイルドキャリア。
（項目４）
前記チャイルドキャリアは、基部幅アジャスタのセットおよび腿幅アジャスタのセットを備え、前記基部幅アジャスタのセットは、大まかなバケットシート幅制御を提供するように適合され、前記腿幅アジャスタのセットは、より細かいバケットシート幅制御を提供するように適合されている、項目１に記載のチャイルドキャリア。
（項目５）
前記チャイルドキャリアは、前記バケットシート深度に依存する最小装着可能高さを有する、項目１に記載のチャイルドキャリア。
（項目６）
前記主要本体はさらに、
前記ウエストベルトおよび胴体支持部分に結合されたシート中心部分と、
前記シート中心部分の両側上に配置された腿支持体であって、前記腿支持体は、前記子供の腿の下を通過し、それを支持し、前記シート中心部分と協働し、前記バケットシートを形成するように適合されている、腿支持体と、
各腿支持体に結合された基部幅アジャスタであって、前記基部幅アジャスタは、複数の場所において前記ウエストベルトに選択的に結合し、前記ウエストベルトにおける前記主要本体の幅を調節するために構成されている、基部幅アジャスタと
を備える、項目１に記載のチャイルドキャリア。
（項目７）
前記基部幅アジャスタは、複数の場所において前記ウエストベルトに選択的に結合し、前記バケットシート深度を調節するために構成されている、項目６に記載のチャイルドキャリア。
（項目８）
前記バケットシートの膨らみを制御するように適合された１つ以上の布地成形部材をさらに備える、項目７に記載のチャイルドキャリア。
（項目９）
前記布地成形部材は、前記腿支持体と前記シート中心部分との間に配置されたダーツを備え、前記基部幅アジャスタの調節に応答して、前記ダーツは、開閉するように適合されている、項目８に記載のチャイルドキャリア。
（項目１０）
前記基部幅アジャスタは、最大バケットシート深度に対応する第１の設定および最小バケットシート深度に対応する第２の設定に構成可能であり、前記ダーツは、前記第１の設定に対応する第１の形状および前記第２の設定に対応する第２の形状を有する、項目９に記載のチャイルドキャリア。
（項目１１）
前記シート中心部分は、側方外側縁を備え、前記腿支持体は、側方内側縁を備え、前記ダーツは、前記側方外側縁と前記側方内側縁との間に配置されている、項目９に記載のチャイルドキャリア。
（項目１２）
前記基部幅アジャスタは、前記ダーツを開閉するために、前記側方内側縁を前記側方外側縁に対して回転させるための回転を通して調節可能である、項目１１に記載のチャイルドキャリア。
（項目１３）
前記バケットシート深度の調節は、前記チャイルドキャリアの最小装着可能高さを調節する、項目７に記載のチャイルドキャリア。
（項目１４）
前記腿支持体に結合された腿幅アダプタをさらに備え、前記腿幅アダプタは、前記バケットシートの幅を調節するように構成されている、項目７に記載のチャイルドキャリア。
（項目１５）
内側の折り下げられた位置において構成可能な頸部支持体をさらに備え、前記頸部支持体は、子供の頸部を支持するために前記子供運搬面積内に位置付けられている、項目１に記載のチャイルドキャリア。
（項目１６）
前記頸部支持体はさらに、延在された折り上げられた位置および外側の折り下げられた位置において構成可能である、項目１５に記載のチャイルドキャリア。
（項目１７）
前記複数のバケットシート構成は、乳児用インサートを伴わずに、乳児を蹲踞位置に支持するように適合された構成を備える、項目１に記載のチャイルドキャリア。
（項目１８）
前記複数のバケットシート構成は、小児を蹲踞位置に支持するように適合された構成を備える、項目１７に記載のチャイルドキャリア。
（項目１９）
チャイルドキャリアを構成する方法であって、
運搬される子供に対して、前記チャイルドキャリアのバケットシートを子供のサイズに調節することであって、前記バケットシートを子供のサイズに調節することは、
前記子供のサイズに対応する基部幅設定のための位置において、前記チャイルドキャリアの基部幅アジャスタを前記チャイルドキャリアのウエストベルトに結合することによって、前記バケットシートの深度を構成することと、
腿幅アダプタを調節し、前記バケットシートの幅を調節することと
を含む、ことと、
前記子供が人間工学的蹲踞位置に支持されるように、前記子供を前記チャイルドキャリアの子供運搬面積内に位置付けることと
を含む、方法。
（項目２０）
前記バケットシートの深度を構成することはさらに、前記基部幅アジャスタを回転させ、ダーツを開閉することを含む、項目１９に記載の方法。
（項目２１）
前記子供運搬面積の一部を充填し、子供の頸部を支持するように、調節可能頸部支持体を構成することをさらに含む、項目１９に記載の方法。
【００２３】
本発明のこれらおよび他の目的のより深い理解のために、付随の図面と関連付けて読まれるべき、以下の発明を実施するための形態を参照する。
【図面の簡単な説明】
【００２４】
【図１】図１は、子供を調節可能キャリアで運搬する成人装着者の概略表現である。
【図２Ａ】図２Ａは、調節可能ベビーキャリアの一実施形態の内側図の概略表現である。
【図２Ｂ】図２Ｂは、調節可能キャリアの一実施形態の外側図の概略表現である。
【図３】図３Ａは、第１の基部幅アジャスタ構成における基部幅アジャスタの一実施形態の概略表現である。図３Ｂは、第２の基部幅アジャスタ構成における基部幅アジャスタの一実施形態の概略表現である。図３Ｃは、第３の基部幅アジャスタ構成における基部幅アジャスタの一実施形態の概略表現である。
【図４】図４Ａは、第１の腿幅アジャスタ構成における腿幅アジャスタを伴うキャリアの一実施形態の概略表現である。図４Ｂは、第２の腿幅アジャスタ構成における腿幅アジャスタを伴うキャリアの一実施形態の概略表現である。図４Ｃは、第３の腿幅アジャスタ構成における腿幅アジャスタを伴うキャリアの一実施形態の概略表現である。
【図５】図５Ａは、第１の腿幅アジャスタ構成における腿幅アジャスタを伴うキャリアの一実施形態の別の図の概略表現である。図５Ｂは、第３の腿幅アジャスタ構成における腿幅アジャスタを伴うキャリアの一実施形態の別の図の概略表現である。
【図６】図６Ａは、第１のシート構成におけるバケットシートを伴うキャリアの一実施形態の概略表現である。図６Ｂは、第２のシート構成におけるバケットシートを伴うキャリアの一実施形態の概略表現である。図６Ｃは、第３のシート構成におけるバケットシートを伴うキャリアの一実施形態の概略表現である。
【図７】図７Ａは、第１の頸部支持体構成における頸部支持体を伴うキャリアの一実施形態の概略表現である。図７Ｂは、第２の頸部支持体構成における頸部支持体を伴うキャリアの一実施形態の概略表現である。図７Ｃは、第３の頸部支持体構成における頸部支持体を伴うキャリアの一実施形態の概略表現である。
【図８】図８は、背面運搬位置にキャリアを装着している装着者の一実施形態の概略表現である。
【図９】図９は、側面運搬構成にキャリアを装着している装着者の一実施形態の概略表現である。
【発明を実施するための形態】
【００２５】
（詳細な説明）
チャイルドキャリアおよび関連方法ならびにその種々の特徴および有利な詳細は、付随の図面に図示され、以下の説明に詳述される、非限定的実施形態を参照することによって、より完全に説明される。周知の出発材料、処理技法、構成要素、および機器の説明は、詳細において本発明を不必要に曖昧にしないように省略される。しかしながら、発明を実施するための形態および具体的実施例は、本発明の好ましい実施形態を示すが、例証として与えられるにすぎず、限定ではないことを理解されたい。本発明の根本概念の精神および／または範囲内の種々の代用、修正、追加、ならびに／もしくは並べ替えは、本開示から当業者に明白となるであろう。
【００２６】
本開示は、乳児を含む、子供が、ある範囲の年齢を通して、子供を支持し、子供の骨盤および腿を好ましい人間工学的位置に維持する様式で運搬されることを可能にする、チャイルドキャリアに関する。特に、本明細書に説明される実施形態は、子供の臀部、骨盤、および腿を所望の位置に支持する、キャリアを提供する。本明細書に説明される実施形態はまた、子供が、子供を運搬する人物の正面または背面もしくは側面上で運搬されることを可能にする。キャリアは、それぞれ、正面、背面、または側面位置において、運搬される子供の体重が装着者の重力中心の近傍にあって、装着者の正面、背面、または側面面に近接した状態で、ユーザによって、装着者の正面、背面、または側面に装着されることができる。
【００２７】
調節可能チャイルドキャリアは、子供が種々の配向に運搬されているとき、子供の腰部、骨盤、臀部、および両上腿を支持しながら、広範囲のサイズの子供を正面、背面、または側面運搬位置に収容するように構成されることができる。例えば、本明細書に開示されるチャイルドキャリアの実施形態は、新生児（乳児）（例えば、約７ポンド）で、加えて、最大約４５ポンドまたはそれを上回るまでの子供で使用可能な調節可能チャイルドキャリアを提供し得る。
【００２８】
本開示の一側面によると、キャリアは、子供のためのバケットシートと、調節されると、シートバケットの深度およびチャイルドキャリアの高さを調節する役割を果たす、１つ以上の調節面積とを含む。新生児設定に調節されると、キャリアは、シートバケットの深度が最大となり得るように構成される。逆に言えば、その最大、すなわち、最も大きなサイズ設定（例えば、キャリアが収容するように設計される最大子供のための設定）まで調節されると、シートバケットの深度は、最小となり得る。バケットシートの深度が最大であるとき、腿は、冠状面に対する子供の腿の角度が最大であり得るように支持されてもよく、バケットシートの深度が最小であるとき、腿は、冠状面に対する子供の腿の角度が最小であり得るように支持されてもよい。同様に、次いで、バケットシートが最大となると、キャリアは、バケットシートが最小深度であるときより比較的に湾曲をその背骨に伴って、キャリアがその中に運搬される子供を維持するように構成されてもよい。
【００２９】
チャイルドキャリアは、チャイルドキャリアによって提供されるバケットシート面積の形状を調節するために、単独で、または協働して機能する、１つ以上の調節点を含んでもよい。これらの調節点は、主要パネルがキャリアのウエストバンドに結合される点におけるベビーキャリアの主要パネルの幅を調節するように適合される、基部幅アジャスタを含んでもよい。主要パネルの基部の幅の調節は、新生児のための最狭設定に調節されるとき、バケット面積のための最大形状、したがって、最大バケットシートの深度面積を、最広設定に調節されるとき、最大子供のための最小限のバケットシートの深度面積を提供する役割を果たし得る。
【００３０】
実施形態によって提供される別の調節点は、腿幅アジャスタであってもよい。これらの腿幅アジャスタは、子供の腿を収容するように構成される主要パネル内の点におけるベビーキャリアの主要パネルの幅を調節するように構成される。主要パネルの腿幅は、新生児のための腿幅アジャスタの最緊締または最小設定では、最小であり、（例えば、キャリアが収容するように設計される）最大子供のためのその最大または最弛緩設定（完全に解放される、または係合されなくてもよい）では、最広であってもよい。
【００３１】
これらの調節点はまた、ベビーキャリアを調節するために協働して機能してもよい。例えば、腿幅アジャスタはまた、基部幅アジャスタによって提供される大まかな調節の範囲内であるバケット面積のためのより細かい調節部としての役割を果たし得る。
【００３２】
ある実施形態のキャリアはまた、高さを調節するように構成されてもよい。ある実施形態では、中心におけるウエストベルトの上部縁から中心におけるキャリアの上部縁までの物理的キャリアの長さは、一貫したままであるが、しかしながら、装着可能高さは、バケットシートサイズの設定に応じて変化する。基部幅がその最小／最狭設定にあると、バケットシートは、より深く、キャリア長さ測定値の多くを消費し、したがって、装着可能高さのために殆ど測定値を残さない一方、基部幅がその最大／最広設定にあると、バケットシートは、浅く、キャリア長さ測定値をあまり消費せず、したがって、装着可能高さのためにより多くの測定値を残す。
【００３３】
そのようなキャリアの実施形態はまた、調節可能頸部支持体を含んでもよい。そのような頸部支持体またはカラーは、子供が面している方向、子供のサイズ、または他の基準に従って位置付けられてもよい。調節可能頸部支持体は、頸部支持体が延在されてもよく、キャリアの中心高さを増加させ、子供のための付加的背中または頸部支持体を与える（子供のサイズに応じて）ように、主要パネルに対して回転可能であってもよい。頸部支持体はまた、装着者から離れるように折り返され、キャリアの高さを低減させてもよい（例えば、非乳児子供のために）。頸部支持体はまた、子供運搬面積の内側に常駐し、乳児または他の子供に付加的頭部もしくは頸部支持体を与え得るように、キャリアの中に装着者に向かって折り下げられてもよい。
【００３４】
本明細書に開示されるような実施形態は、したがって、広範囲のサイズの子供を正面、背面、または側面運搬位置に収容するように構成される、調節可能チャイルドキャリアを提供し得る。実施形態は、したがって、付加的乳児用インサートの使用を伴わずに乳児を運搬するように適切に定寸され得る。そのような設定に従って構成されると、キャリアは、乳児の膝が上昇された状態で、チャイルドキャリアの子供運搬面積内における子供の設置のために適合され得る。一実施形態では、乳児を収容するように調節されると、キャリアは、乳児の大腿部を冠状面から９０〜１２０度の角度に伴った位置に乳児を支持するように適合される。加えて、キャリアは、乳児の膝を正中面から４５〜６０度に伴った位置に乳児を支持するように適合されることができる。特定の実施形態では、キャリアは、蹲踞位置を助長するように適合されることができる。
【００３５】
キャリアは、装着者のためにも同様に人間工学的であることができる。詰め物が入れられたウエストベルトは、腰椎支持を提供し得、体重を装着者に均一に分散させながら、キャリアを正面、側面、または背面運搬位置に位置付けることができる、構成可能ハーネスを形成し得る、ショルダストラップ（キャリアの同側または両側に取り付けられ得る）と協働し得る。キャリアは、子供が、子供の体重を均一に分散させる、装着者の重力中心に近接して位置付けられるように調節されてもよい。いくつかの実施形態では、ハーネスは、子供の体重の大部分が装着者の腰部に伝達されるように調節されてもよい。
【００３６】
図１は、子供を調節可能キャリア１００で運搬する成人装着者の概略表現である。調節可能キャリアは、ウエストベルト１１５に結合される、主要本体１１０を備える。主要本体１１０は、胴体支持部分１３０と、バケットシート１２５とを含む。胴体支持部分１３０は、キャリア１００内にある間、子供の上半身を支持するために構成される。シート１２５は、子供の脚部、腰部、および後部を人間工学的位置に支持するために構成される。以下により詳細に議論されるように、調節可能キャリア１００の実施形態は、キャリア１００が、子供が成長するにつれて調節され、子供の骨盤、臀部、および腿が全て支持された状態で、子供を子供の体重またはサイズのために適切な人間工学的蹲踞位置に支持し得るように、種々の調節を含むことができる。人間工学的蹲踞位置（「カエル足」、「カエル」、「蹲踞開脚」、または「Ｍ」位置としても知られる）（線１０１によって示される）では、股関節における撓曲は、冠状面から、少なくとも９０°、ある場合には、１１０°〜１２０°であり、開脚角度は、正中面から平均約４５〜５５°であることができる。キャリア１００が調節可能であるため、股関節および開脚の角度は、キャリア１００の設定および子供の発達段階に依存し得る。
【００３７】
一実施形態では、キャリアは、子供の大腿部を冠状面から約９０°〜１２０°（または他の上昇位置）に伴う位置に子供を支持し、子供の膝をある開脚量を伴って位置付けるように適合されることができる。開脚の量は、子供の発達段階および配向に依存し得、新生児は、最終開脚が約４０°〜４５°であるように、３０°未満、次いで、約３０°、次いで、約３５°〜４０°等を有するが、例えば、約５５°を含む、他の開脚の量が、達成されてもよい。一実施形態では、開脚は、正中面から少なくとも２０°度であってもよい。子供の体重は、仙骨があまりに多くの体重を支承せず、子供が、骨盤発達により良好であると考えられる、より自然な湾曲「Ｃ」背骨を蹲踞位置に静置し得るように、子供の臀部、腿、および背中を横断して分散されることができる。しかしながら、子供は、好ましくは、子供が、主に、その仙骨で着座している場合の姿勢ではなく、支持姿勢を強調する、任意の快適な位置に位置付けられることができることに留意されたい。
【００３８】
図２Ａは、調節可能ベビーキャリア１００の一実施形態の内側図の概略表現であり、図２Ｂは、調節可能キャリア１００の一実施形態の外側図の概略表現である（図２Ａおよび２Ｂは、集合的に、本明細書では、図２と称される）。キャリア１００は、ウエストベルト１１５に結合される、主要本体１１０を備える。主要本体１１０は、上側胴体支持部分１３０と、シート部分１２０と、腿支持面積１４０とを含む。キャリア１００はまた、ショルダストラップ１９０と、チェストストラップ１９５とを含んでもよい。子供は、装着者の胴体と協働する主要本体１１０によって作成された子供運搬面積内に支持されることができる。胴体支持部分１３０は、キャリア内にある間、子供の上半身を支持するように構成される一方、シート部分１２０は、調節可能腿支持面積１４０と協働し、子供の脚部および腰部を人間工学的に位置付けるように適合される、調節可能バケットシート１２５（図１）を形成する。ウエストベルト１１５およびショルダストラップ１９０は、子供の体重を装着者に分散させる、ハーネスを提供する。チェストストラップ１９５は、左および右ショルダストラップをともに固着させるために使用されることができる。
【００３９】
バケットシート部分１２０および腿支持面積１４０は、子供運搬面積の外側（装着者の胴体から離れた側）から内側に通過し、支持および調節可能バケットシート１２５を形成するように適合される。腿支持面積１４０の内側端部部分は、バケットシート１２５の幅および深度を調節するために構成可能な基部幅アジャスタ１５０によって、ウエストベルト１１５に選択的に結合されることができる。腿幅アジャスタ１６０もまた、付加的幅調節を提供するために提供されることができる。したがって、バケットシート１２０は、ある範囲の年齢／サイズ／体重に適応するように調節されることができる。
【００４０】
支持および調節可能バケットシート１２５は、内向き側から外向き側および右から左に略凹面（例えば、「Ｃ」形状）内側外形を有することができる。シート側縁１４２、１４４（腿支持面積１４０の縁によって形成される）は、シートの中心より高くあることができ、側縁が子供の脚部（例えば、膝の上方）がぶらぶらしないように、子供の腰部からある距離において、子供の腿の下およびその周囲を通過するように離間されることができる。いくつかの実施形態では、腿支持面積１４０は、付加的支持を提供してもよい。特に、ある実施形態では、腿支持面積１４０は、ギャザー、弾性材料、または別のタイプの付勢材料を含んでもよい。
【００４１】
バケットシート部分１２０は、一端において、キャリア１００のウエストベルト１１５または他の部分に、他端において、上側胴体支持部分１３０に結合される、シート中心部分１２２を備える。シート中心部分１２２は、単一材料片から形成されてもよい、または複数の材料片、複数の材料層、もしくは複数の材料から形成されてもよい。上側胴体支持部分１３０とシート中心部分１２２との間の合流点は、実質的にシームレスな遷移であってもよい。例えば、一実施形態では、中心パネル１２３は、シート中心部分１２２および上側胴体中心パネルが、１つ以上の材料層の一体型構造を備えるように、シート中心部分１２２および上側胴体中心パネルを形成してもよい。他の実施形態では、合流点は、上側胴体支持部分１３０とシート中心部分１２２との間を隔てる、継目、縁、または他の特徴を含んでもよい。
【００４２】
腿支持面積１４０は、シート中心部分１２２の左および右に配置される。腿支持面積１４０は、腿支持面積１４０が、子供の腰部からある距離において、子供の腿の下およびその周囲を通過するように、基部幅アジャスタ１５０によって、ウエストベルト１１５に選択的に結合されてもよく、子供の腿の下およびその周囲を通過する、腿支持面積１４０の部分は、子供の膝が持ち上げられるように、子供の臀部より高い。腿支持面積１４０は、子供の腿が腿支持面積１４０または装着者の胴体によって開脚するよう促され得るように十分な堅度を有することができる。一実施形態では、腿支持面積１４０は、腿詰め物１４１の面積を提供し、子供の腿を支持する。
【００４３】
基部幅アジャスタ１５０は、個別の腿支持面積１４０に結合されてもよい。一実施形態では、基部幅アジャスタ１５０は、腿支持面積１４０に結合される、フラップまたはタブを備えてもよい。図示される実施形態では、基部幅アジャスタ１５０は、同一腿支持体ストラップの一部を用いて、個別の腿支持面積１４０に結合される。しかしながら、他の構成もまた、使用されてもよい。いずれの場合も、基部幅アジャスタ１５０は、ウエストベルト１１５に選択的に結合され、主要本体１１０の腿支持面積１４０をウエストベルト１１５に結合することができる。
【００４４】
基部幅アジャスタ１５０は、ウエストベルト１１５に接続する、主要本体１１０の基部の幅を調節するために使用されることができる。フックおよびループ材料、ボタン、スナップ、ジッパ等の基部幅アジャスタ１５０の締結機構１５１は、ウエストベルト１１５上の対応する締結機構１１７と協働し、腿支持面積１４０をウエストベルト１１５に結合することができる。締結機構１１７、１５１は、基部幅アジャスタ１５０が、複数の位置において、またはある範囲の位置全体を通して、ウエストベルト１１５に結合され得るように構成される。
【００４５】
ウエストベルト１１５に近接するバケットシート１２５の幅は、基部幅アジャスタ１５０がウエストベルト１１５に固着される、位置を変化させることによって調節されることができる。例えば、基部幅アジャスタ１５０の臀部端部を内側寄りに側方に移動させる（基部幅アジャスタ１５０を内向きに回転させる）ことは、主要本体１１０がウエストバンド１１５と衝合する点における主要本体１１０の幅を減少させ、腿支持面積１４０が子供の腿の下を通過する、バケットシートの幅を減少させる役割を果たし得る。基部幅アジャスタ１５０の端部を外側寄りに側方に移動させる（基部幅アジャスタ１５０を側方外向きに回転させる）ことは、ウエストベルト１１５に結合される、主要本体１１０の幅を増加させ、腿支持面積１４０が子供の腿の下を通過する、バケットシート幅を増加させ得る。
【００４６】
基部幅アジャスタ１５０は、バケットシート１２５の深度を制御するために使用されることができる。最小（または最狭）基部幅設定では、基部幅アジャスタ１５０は、ウエストベルト１１５の中心軸に向かって相互に最大限に近接するように（可能性として考えられる位置の範囲または数を前提として）、ウエストベルト１１５に締結されてもよい。本最小基部幅設定では、キャリア１００は、シートバケット１２５の深度が最大となり得るように構成される。最大（または最広）基部幅設定では、基部幅アジャスタ１５０は、ウエストベルト１１５の中心軸から相互に最大限に遠位に離れるように（可能性として考えられる位置の範囲または数を前提として）、ウエストベルト１１５に締結されてもよい。本最大（または最広）基部幅設定では、キャリア１００は、バケットシート１２５の深度が最小になり得るように構成される。
【００４７】
バケットシート部分１２０は、１つ以上の成形部材を含み、バケットシートの成形を促進してもよい。一実施形態では、バケットシート部分１２０は、腿支持面積１４０の個別の内側縁１４６、１４８とシート中心部分１２２の側方外側縁１２６、１２８との間の間隙に跨架する、襠部分１７０を含む。襠部分１７０は、側方外側縁１２６、１２８またはそれに近接して、シート中心部分１２２に、側方内側縁１４６、１４８またはそれに近接して、腿支持面積に締結され、概して、バケットシート１２５の底部に向かって指向する、ダーツ頂点１７４と、縁１２６、１４６または近接する接続によって画定されたダーツ脚部とを有する、第１のダーツと、ダーツ頂点１７５と、縁１２８、１４８または近接する接続によって画定されたダーツ脚部とを有する、第２のダーツとを形成してもよい。ダーツ脚部は、ダーツを収集または解放するように閉鎖もしくは開放されることができる。特に、基部幅アジャスタ１５０を調節し、シート中心部分１２２と腿支持面積１４０との間の角度を減少させることによって、ダーツ脚部は、閉鎖され、ダーツは、深くなることができる。その結果、バケットシート１２５は、さらに膨らみ、より深い湾曲をとることができる。逆に言えば、基部幅アジャスタ１５０を調節し、シート中心部分１２２と腿支持面積１４０との間の角度を増加させることは、ダーツ脚部を開放し、襠部分１７０によって形成されるダーツをより浅くする。その結果、キャリア１００によって形成されるバケットシート１２５は、より浅くなるであろう。前述の実施形態では、成形部材は、ダーツであるが、他の成形機構も、限定ではないが、プリーツ、ギャザー、またはタックを含む、バケットシート１２５の完全度を制御するために使用されることができる。
【００４８】
図３Ａ、３Ｂ、および３Ｃ（集合的に、図３）を簡単に参照すると、図３は、基部幅アジャスタ１５０の一実施形態の動作を図示する。図３では、基部幅アジャスタ１５０は、主要本体１１０の側方中心線の両側に対してウエストベルト１１５に固着され、腿支持面積１４０におけるキャリア１００の幅を調節することができる。図示される実施形態では、フックおよびループ材料が、ウエストベルト１１５と装着者との間に狭入されるウエストベルト１１５の側において基部幅アジャスタ１５０をウエストベルト１１５に固着するために使用される。これは、基部幅アジャスタ１５０に対する圧力のため、使用時、フックおよびループ材料の保持を増加させることができる。
【００４９】
図３の実施形態では、各基部幅アジャスタ１５０は、３つの位置１５４、１５６、１５８のうちの１つにおいて、ウエストベルト１１５に固着される。これらの位置は、子供の特定のサイズ範囲に対応し得る。図３Ａでは、基部幅アジャスタ１５０は、最小（または最狭）基部幅設定に対応する、位置１５４に固着される。図３Ｂでは、基部幅アジャスタ１５０は、中程度の基部幅設定に対応する、位置１５６に固着される。図３Ｃでは、基部幅アジャスタ１５０は、最大（または最広）基部幅設定に対応する、位置１５８に固着される。
【００５０】
基部幅アジャスタ１５０は、図示されるように、それらが調節されるにつれて、本質的に、枢動点から回転することに留意されたい。したがって、取付位置の側方位置が変化するだけではなく、垂直位置も同様に、変化する（例えば、基部幅アジャスタ１５０のための位置１５４、１５６、および１５８は、相互から側方および垂直の両方において変位される）。このような回転運動の使用は、所与の側方変化のために、バケット深度においてさらなる変化を提供する。しかしながら、他の実施形態は、より線形の運動を使用し得る（例えば、取付位置が水平に整合される）。さらに、位置１５４、１５６、および１５８は、一例として、提供される。図示される実施形態では、基部幅アジャスタ１５０は、ある連続範囲の位置において締結機構１１７に結合されることができる。他の実施形態は、離散取付点を提供してもよい。
【００５１】
図３Ａを参照すると、基部幅アジャスタ１５０は、ウエストベルト１１５の中心軸に向かって相互に最大限に近接するように（可能性として考えられる位置の範囲または数を前提として）、ウエストベルト１１５に締結される。しかしながら、腿支持面積１４０の側方内側縁１４６、１４８は、シート中心支持部分１２２の側方外側縁１２６、１２８（襠部分１７０によって隠蔽される）に近接して牽引されるため、襠部分１７０は、深く湾曲したダーツを形成する。換言すると、相互に最大限に近接するように、基部幅アジャスタ１５０をウエストベルト１１５に締結することによって、襠部分１７０の側方外側縁は、襠部分１７０の側方内側縁に向かって牽引され、対応するより大きな湾曲またはダーツ形状を襠部分１７０に作成し得る。これは、バケットシート部分１２０を成形し、バケットシートの深度部分を増加させる役割を果たす。
【００５２】
図３Ｃを参照すると、基部幅アジャスタ１５０は、最大（または最広）基部幅設定に対応する、位置１５８に固着される。本構成では、側方内側縁１４６、１４８は、図３Ｃの個別の側方外側縁１２６、１４８から離れるように回転される。言い換えると、ダーツ脚部は、ダーツを開放し、より少ない形状（湾曲）を襠部分１７０の端部に作成するように開放される。相互に最大限に遠位に来るように、基部幅アジャスタ１５０をウエストベルト１１５に締結することによって（再び、基部幅アジャスタ１５０をウエストベルト１１５に結合するための可能性として考えられる設定の範囲を前提として）、張力が、襠部分１７０が比較的に平坦のままであるように、襠部分１７０の外側縁に維持され得る。したがって、バケットシート部分１２０は、比較的に平坦またはより小さい形状構成に維持され、バケットシート１２５の深度を最小限にする役割を果たし得る。
【００５３】
基部幅アジャスタ１５０は、主に、ウエストベルト１１５に近接するシートの幅を調節する。しかしながら、ウエストベルト１１５から離れて移動すると、シート（縁１４２、１４４）は、拡開し得る。図２を参照すると、腿幅アジャスタ１６０が、ウエストベルト１１５から離れるシートの幅を調節するために提供されてもよい。特に、腿幅アジャスタ１６０は、腿支持体１４０の縁１４２、１４４が子供の腿の下を通過するバケットシートの幅を調節するように適合されてもよい。腿幅アジャスタ１６０は、腿支持面積１４０が子供の膝を過ぎて延在せず、したがって、腿支持面積１４０が、子供の脚部を直線化する、または子供の脚部を過度に開脚しないように防止するように、腿支持面積１４０を引き込むために使用されることができる。
【００５４】
ある実施形態では、腿幅アジャスタ１６０は、個別の腿支持面積１４０に結合され、腿支持面積１４０のレベルにおいてキャリアの幅を調節するように構成されてもよい。一実施形態によると、各腿幅アジャスタ１６０は、第１の端部１６２において支持部分１４１に近接する個別の腿支持面積１４０に結合され、主要本体１１０（例えば、シート中心部分１２２または他の場所）に選択的に結合され得る、第２の端部を含む、材料片（ウェビングまたは他の材料）であってもよい。腿幅アジャスタ１６０は、各側に１つずつの引きひもシステムとして作用し、腿支持面積１４０を側方に内向きに引動させ、それによって、子供の腿におけるキャリア１００の幅をさらに調節することによって、キャリア１００の幅を腿レベルで調節することができる。
【００５５】
図４Ａ、４Ｂ、および４Ｃ（集合的に、図４）ならびに図５Ａおよび５Ｂ（集合的に、図５）を簡単に参照すると、腿幅アジャスタ１６０の一実施形態の動作が、図示される。腿幅アジャスタ１６０は、バケットシート部分１２０に選択的に結合され、腿支持面積１４０を所望の量だけ側方内向きに引動させることができる。図４は、例えば、最狭（最緊締）設定（図４Ａ、図５Ａ）、中程度の設定（図４Ｂ）および最広（最弛緩）設定（図４Ｃ、図５Ｂ）に対応する、３つの位置に固着される腿幅アジャスタ１６０を図示する。
【００５６】
図示される実施形態では、各腿幅アジャスタ１６０は、第１の端部１６２において、腿詰め物１４１に近接する（例えば、個別の外側縁１４２、１４４の近傍の）個別の腿支持面積１４０の外側に締結される、材料のストリップを含む。腿幅アジャスタ１６０が、布地トンネル１７２を通して、主要本体１１０のバケットシート部分１２０上の対応する締結具に選択的に締結され得る、複数の離間される腿幅アジャスタ締結具１６６（例えば、スナップ、ボタン、フックおよびループ等）を含む、遠位部分１６４に内側寄りに側方に延設される。
【００５７】
図４Ａでは、個別の腿支持面積１４０に最も近い、腿幅アジャスタ締結具１６６は、バケットシート部分１２０上の対応する締結具に締結される。本位置は、最狭腿幅アジャスタ設定に対応し、図５Ａに図示されるように、腿支持面積１４０は、内向きに集められ、子供の腿におけるキャリア１００の幅を減少させる。逆に言えば、個別の腿支持面積１４０から最も遠い締結具１６６をバケットシート部分１２０に締結することは、図４Ｃに示されるように、腿幅アジャスタ１６０の最広設定を達成し得る。腿幅アジャスタ１６０が、図４Ｃの最広設定位置にあるとき、腿支持面積１４０の外側縁は、図５Ｂに図示されるように、拡開し、したがって、子供の腿におけるキャリア１００を広げることができる。
【００５８】
前述から理解され得るように、基部幅アジャスタ１５０および腿幅アジャスタ１６０は、キャリア１００を調節するように協働して機能してもよい。一実施形態によると、基部幅アジャスタ１５０は、シート深度の調節のために使用され、シート幅の大まかな調節を提供することができる一方、腿幅アジャスタ１６０は、基部幅アジャスタ１５０によって提供される大まかな調節の範囲内の幅のための細かい調節としての役割を果たし得る。例えば、キャリア１００の基部幅アジャスタ１５０の特定の設定では、腿支持面積１４０におけるキャリア１００の幅は、腿幅アジャスタ１６０をその最小または最狭（最緊締）設定に伴うと、最狭であり、腿幅アジャスタ１６０をその最広（最弛緩）設定に伴うと、最大となり得る。
【００５９】
キャリア１００はまた、キャリア１００の他の設定に基づいて、高さを調節してもよい。特に、基部幅アジャスタ１５０の調節は、装着可能背面高さ（バケットシート１２５の底部から上部縁１３２までの長さ）を調節する。これは、装着可能背面高さがバケットシートサイズの設定に応じて変化するように、中心におけるウエストベルト１１５の上部縁１１６から中心における主要本体１１０の上部縁１３２までの物理的キャリア材料の長さが一貫したままであるために生じる。バケットを消費する深さが深いほど、縁１１６と１３２との間の材料の長さがより長くなり、したがって、装着可能高さのために殆ど測定値を残さない一方、バケットを消費する深さが浅いほど、材料縁１１６と１３２との間の長さがより短くなり、したがって、装着可能高さのためにより多くの測定値を残す。
【００６０】
したがって、最小子供モード（例えば、乳児モード）（その最小／最狭設定における基部幅）に調節されると、バケットシート１２５は、より深くなり、キャリア長さ測定値の多くを消費し、したがって、装着可能高さのために殆ど測定値を残し得ない（バケットシート１２５の底部から中心におけるキャリア中心パネル１２３の上部縁までの長さは、その最短高さにある）。最大子供モード（例えば、小児モード）（その最大／最広設定における基部幅）に調節されると、バケットシート１２５は、浅くなり、キャリア長さ測定値を殆ど消費せず、したがって、装着可能高さのためにより多くの測定値を残す（バケットシート１２５の底部から中心におけるキャリア中心パネル１２３の上部縁までの長さは、その最長高さにある）。キャリアは、したがって、バケットシートへの調節に基づいて、子供の高さを調節する。
【００６１】
キャリア１００は、支持される範囲を通して子供のサイズにかかわらず、子供のための人間工学的支持を提供するように調節されてもよい。一実施形態によると、キャリア１００は、基部幅アジャスタ１５０および腿幅アジャスタ１６０がその最狭設定に設定されると、乳児のために設定されることができる。本構成では、バケットシートは、その最深深度となり、腿支持面積１４０におけるより高い壁が、子供の腿および膝をより大きな角度かつそのサイズの子供のために適切な蹲踞位置まで持ち上げるであろう。同様に、キャリア１００は、基部幅アジャスタ１５０および腿幅アジャスタ１６０がその最広設定にあると、最大子供のために設定されることができる。本構成では、バケットシートは、その最浅深度となり、腿支持面積１４０におけるより低い壁は、子供の腿および膝をより小さい角度かつより大きいサイズの子供のために適切な蹲踞位置に持ち上げ得る。
【００６２】
したがって、調節可能バケットシートは、異なるシートバケット深度およびシートバケット幅を有する複数の構成において構成可能である。異なる構成は、対応するサイズ範囲内の子供を蹲踞位置に支持するように適合されることができる。例えば、一実施形態では、バケットシートは、２０〜２４インチの子供（概して、０〜３ヶ月および７ポンドを上回る乳児に対応する）を、乳児用インサートを要求せずに、乳児のために適切な蹲踞位置において人間工学的に運搬するように適合される、第１の構成を有することができる。さらに、キャリアは、２４〜２８インチの子供（概して、３〜９ヶ月のより高齢児に対応する）をその子供のサイズに適切な蹲踞位置において人間工学的に運搬するように適合される、第２の構成を有することができる。加えて、キャリアは、本実施例では、２８インチまたはそれを上回る子供（概して、９〜４８ヶ月のより高齢児または小児に対応する（キャリアまたは装着者の最大運搬容量））を人間工学的に運搬するように適合される、第３の構成を有することができる。第１の構成は、最狭設定（最深バケットシート）（乳児モード）における基部幅に対応することができ、第２の構成は、中程度の設定における基部幅に対応することができ、第３の構成は、最広設定（最浅バケットシート）（小児モード）における基部幅に対応することができる。上記に提供される範囲は、一例として提供され、限定ではないことに留意されたい。さらに、シートは、他の構成を有してもよい。
【００６３】
ユーザは、したがって、バケットシート１２５を調節し、子供の骨盤、臀部、および腿が全て支持された状態で、子供を子供の体重またはサイズのために適切な人間工学的蹲踞位置に支持することができる。子供の体重は、子供が、子供の体重が主に仙骨にかかるように着座するのではなく、シート内に蹲踞するように支持されることができる。子供は、膝が臀部より高い、ある場合には、９０度より高い状態で、支持されることができる。バケットシート１２５は、子供の臀部が支持される、子供の腰部より広いスリングまたはパウチを形成するように調節されることができる。腿支持面積１４０は、子供の腿の下およびその周囲を通過する、腿支持面積１４０の部分が、子供の臀部より高く、子供の膝を持ち上げるように、子供の腰部からある距離において、子供の腿の下およびその周囲を通過するように調節されることができる。腿支持面積１４０は、子供の腿が腿支持体ストラップまたは装着者の胴体によって開脚されることを促すために十分な堅度を有することができる。
【００６４】
図６Ａ、６Ｂ、および６Ｃ（集合的に、図６）は、種々のサイズの子供を収容するように調節される、キャリア１００の一実施形態の概略表現である。図６Ａは、図３Ａの最小基部幅設定に対応し、図６Ｂは、図３Ｂの中程度の基部幅設定に対応し、図６Ｃは、図３Ｃの最大基部幅設定に対応する。基部幅アジャスタ１５０および腿幅アジャスタ１６０の調節を通して、バケットシート１２５の幅およびバケットシート１２５の深度（深度２０２によって示される）は、構成されることができる。さらに、背中を支持するために利用可能なキャリア１００の材料の長さが、バケットシート１２５の深度に依存するため、基部幅アジャスタ１５０の調節はまた、キャリア１００の最小装着可能高さ２０４を調節する。図６に図示されるように、キャリア１００の装着可能高さ２０４は、バケット深度の減少に伴って増加する。
【００６５】
全ての設定が小さい赤ちゃんのために設定されると、シート中心部分１２２、襠部分１７０、および腿支持面積１４０は、協働して、図６Ａに図示されるように、深いバケットシート１２５を形成する。腿（膝の下）により高い壁を伴う深いバケットシート１２５は、子供の膝（線２１０によって示される）を適切な蹲踞位置まで持ち上げる傾向にあり、ｃ−形状への背中の丸まりを助長する（線２１２によって示される）。さらに、より深いバケットシート１２５は、装着可能高さ２０４を短縮させる。したがって、図６Ａの構成は、乳児に好適となり得る。子供が成長するにつれて、子供の背骨は、自然に直線となるはずであり、子供は、殆ど膝支持を要求しないであろう。基部幅アジャスタ１５０および腿幅アジャスタは、バケットシート１２５を広げ、付加的背中支持長さを提供し、子供の背骨の伸長を支持するように調節されることができる。例えば、キャリア１００の図６Ｂおよび図６Ｃに示されるように、バケットシート１２５は、殆ど膝持ち上げを提供しないが、適切な蹲踞位置（例えば、図６Ｂにおける高齢児および図６Ｃにおける小児のため）を維持するために十分であり、子供が背中をより直線にして静置することを可能にするように調節されてもよい。
【００６６】
図２に戻ると、キャリア１００はまた、調節可能頸部支持体１８０を含んでもよい。調節可能頸部支持体１８０は、キャリア１００の中心高さを増加させるように延在され、子供のための付加的背中または頸部支持体を与えてもよい（子供のサイズに応じて）。頸部支持体１８０はまた、装着者から離れるように折り返され、キャリアの高さを低減させてもよい（例えば、非乳児子供のために）。頸部支持体１８０はまた、子供運搬面積の内側に常駐し、乳児または他の子供に付加的頭部もしくは頸部支持体を与え得るように、装着者に向かって折り下げられてもよい。頸部支持体１８０のサイズ、形状、および位置は、頸部支持体１８０がキャリアの中に折り込まれるとき、頸部支持体１８０が、平均乳児の頸部の背後に嵌合し、それを支持するであろうように選択されることができる。
【００６７】
限定ではないが、ボタン、スナップ、Ｄリングおよびクリップまたはフック、フックおよびループ材料のパッチ、もしくは他の固着機構等の、相補的延在位置固着機構および相補的非延在位置固着機構が、調節可能頸部支持体１８０が、延在位置に固着される、または折り返され、非延在位置に固着され得るように、提供されることができる。
【００６８】
図７Ａ、７Ｂ、および７Ｃは、それぞれ、内側の折り下げられた構成、延在された構成、および外側の折り下げられた構成における、調節可能頸部支持体１８０の一実施形態を図示する。図７Ａの内側の折り下げられた位置では、調節可能頸部支持体１８０は、部分的に、キャリア１００の運搬面積の内側を充填し、不十分な頭部制御を伴う乳児により多くの頭部および頸部支持を与えるように適合されることができる（また、図６Ａ参照）。調節可能頸部支持体１８０はまた、図７Ｂの外側の折り下げられた構成に構成され、子供が成長するにつれて、付加的容積をキャリア内に提供することができる（また、図６Ｂおよび６Ｃ参照）。頸部支持体１８０は、図７Ｃに図示されるように、延在されたモード（上方にひっくり返される）に構成され、中心背面長さを増加させ、小児のための付加的背中支持または非乳児のための頭部および頸部支持を与えることができる。頸部支持体１８０は、子供のサイズまたは他の基準に従って位置付けられてもよい。
【００６９】
一実施形態によると、調節可能頸部支持体１８０は、上部縁１３２に近接して主要本体１１０に継合されてもよい。結合部は、調節可能頸部支持体１８０が内側の折り下げられた構成から外側の折り下げられた構成に縁１３２をひっくり返ることを可能にする、略水平ヒンジを形成してもよい。図示される実施形態では、調節可能頸部支持体１８０は、第１の頸部支持体締結具１８２のセットを使用して、内側の折り下げられた構成および外側の折り下げられた構成に固着されてもよく、第１の頸部支持体締結具１８２のセットの上方に位置する第２の頸部支持体締結具１８４のセットを使用して、延在された構成に固着されてもよい。好ましくは、必ずしもではないが、頸部支持体締結具は、主要本体１１０の外側上に位置する。
【００７０】
再び図２を参照すると、ショルダストラップ１９０は、ループを形成し、キャリア１００の側方中心線の両側に取り付けるように構成されることができる。他の実施形態では、ショルダストラップは、「ｘ」構成に装着されてもよい。各ショルダストラップ１９０は、１つ以上の場所において上側胴体支持部分１３０に接続し、上側胴体支持部分１３０を装着者に向かって引動させてもよい。ショルダストラップはまた、ショルダストラップ１９０が上側胴体支持部分１３０に結合される、中心線の同一側または反対側において、腿支持面積１４０またはキャリア１００の他の部分の上方のキャリア１００の主要本体１１０に結合してもよい。ショルダストラップ１９０は、調節可能であってもよく、ある場合には、正面運搬、側面運搬位置（腰部運搬）または背面運搬位置等、複数のキャリア位置を支持するように再構成されることができる。
【００７１】
ウエストベルト１１５は、腰椎支持部分１１９を有し、装着者の腰部上に静置するように構成されてもよい。好ましくは、ハーネスが、子供の体重が、装着者の腰部および肩部に均一に分散されるように、さらにより好ましくは、子供の体重が、装着者の腰部および肩部に、ある場合には、主に、肩部ではなく、装着者の腰部に均一に分散されるように構成される。ある場合には、７０パーセントまたはそれを上回る子供の体重が、ウエストベルト１１５を通して、装着者の腰部に分散され、それによって、装着者の快適性を助長し、装着者の疲労を減少させることができる。
【００７２】
本開示の一側面によると、キャリア１００は、構造を提供するために、詰め物、縫製、および布地を組み込む、軟質の構造化されたキャリアであることができる。上側胴体支持部分１３０、バケットシート部分１２０、腿支持体１４０、および腿幅アジャスタ１５０を含む、主要本体１１０は、可撓性であることができ、剛性フレームを伴わずに、主に、天然または合成繊維から形成されることができる。しかしながら、当業者によって理解されるであろうように、軟質の構造化されたキャリアのバックル、締結具等のいくつかの構成要素は、硬質プラスチック、金属、および同等物から形成されてもよい。
【００７３】
キャリア１００は、単一材料片、または複数の材料片、複数の材料層、もしくは複数の材料から形成される、１つ以上のパネルを含んでもよい。例えば、いくつかの実施形態では、上側胴体支持部分１３０は、子供の皮膚に対する快適性のために選択された内側層と、通気性、ファッション性、歪み抵抗等のために選択された外側層とともに形成されてもよい。上側胴体支持部分１３０は、直線縁、増加幅もしくは減少幅の面積のためのテーパ状縁を有する、または別様に、子供もしくユーザの快適性または安全性のために構成されてもよい。同様に、バケットシート部分１２０は、単一材料片から形成される、１つもしくはそれを上回るパネルを含んでもよい、または複数の材料片、複数の材料層、もしくは複数の材料から形成されてもよい。上側胴体支持部分１３０とバケットシート部分１２０との間の合流点は、実質的にシームレスな遷移であってもよい。一実施形態では、上側胴体支持部分１３０の中心およびバケットシート部分１２０の中心は、上側胴体支持部分１３０および腿支持面積１４０の側方外側部分を形成する、側面パネルに取り付けられる、（１つ以上の層の）一体型中心パネル１２３から形成されてもよい。内側層は、子供の皮膚に対する快適性のために選択され、外側層は、通気性、ファッション性、歪み抵抗等のために選択されてもよい。いくつかの実施形態では、中心部分は、快適性のために選択され、側方部分は、通気性、安全性等のために選択されてもよい。
【００７４】
キャリア１００は、いくつかの運搬位置を支持してもよいことに留意されたい。図１は、例えば、内向きに面した正面運搬位置において子供を運搬する成人装着者の一実施形態の概略表現である。図８は、内向きに面した背面装着構成において子供をキャリア１００内で運搬する成人装着者の一実施形態の概略表現である。図９は、側面（腰部）装着構成において子供をキャリア１００内で運搬する成人装着者の一実施形態の概略表現である。
【００７５】
本明細書で使用されるように、用語「ｃｏｍｐｒｉｓｅ（備える）」、「ｃｏｍｐｒｉｓｉｎｇ（備える）」、「ｉｎｃｌｕｄｅ（含む）」、「ｉｎｃｌｕｄｉｎｇ（含む）」、「ｈａｓ（有する）」、「ｈａｖｉｎｇ（有する）」、またはその任意の他の変形例は、非排他的含有を網羅することが意図される。例えば、要素のリストを備える、プロセス、物品、または装置は、必ずしも、それらの要素のみに限定されず、明示的にリストされていない、あるいはそのようなプロセス、物品、または装置に固有の他の要素を含んでもよい。さらに、別様に示されない限り、用語「ｏｒ（または）」は、包括的「または」を指し、排他的「または」を指すものではない。例えば、条件ＡまたはＢは、以下のうちの任意の１つによって充足される：Ａは、真（または、存在）であり、Ｂは、偽（または、不在）である、Ａは、偽（または、不在）であり、Ｂは、真（または、存在）である、ならびにＡおよびＢの両方が、真の（または、存在）である。本明細書で使用されるように、「ａ」または「ａｎ」（および、先行詞が「ａ」または「ａｎ」であるときは、「ｔｈｅ」）によって先行される用語は、別様に明確に示されない限り、そのような用語の単数形および複数形の両方を含む（すなわち、「ａ」または「ａｎ」の参照は、単数形のみまたは複数形のみを明確に示す）。また、本明細書の説明および全体を通して使用されるように、「ｉｎ（の中に）」の意味は、文脈によって明確に別様に示されない限り、「ｉｎ（の中に）」および「ｏｎ（の上に）」を含む。
【００７６】
加えて、本明細書に与えられる任意の実施例または例証は、いかようにも、それらがともに利用される任意の用語もしくは複数の用語の制限、限定、またはその定義を表現するものとして、見なされない。代わりに、これらの実施例または例証は、ある特定の実施形態に関して説明されており、例証にすぎないものと見なされるべきである。当業者は、これらの実施例または例証とともに利用される任意の用語もしくは複数の用語が、それとともに、または明細書のいずれかに与えられ得る、あるいは与えられない場合もある、他の実施形態を包含し、全てのそのような実施形態が、その用語または複数の用語の範囲内に含まれることが意図されることを理解するであろう。そのような非限定的実施例および例証を指定する用語として、「ｆｏｒ  ｅｘａｍｐｌｅ（例えば）」、「ｆｏｒ  ｉｎｓｔａｎｃｅ（例えば）」、「ｅ．ｇ．（例えば）」、「ｉｎ  ｏｎｅ  ｅｍｂｏｄｉｍｅｎｔ（一実施形態では）」が挙げられるが、それらに限定されない。
【００７７】
本明細書全体を通しての「ｏｎｅ  ｅｍｂｏｄｉｍｅｎｔ（一実施形態）」、「ａｎ  ｅｍｂｏｄｉｍｅｎｔ（ある実施形態）」、または「ａ  ｓｐｅｃｉｆｉｃ  ｅｍｂｏｄｉｍｅｎｔ（具体的実施形態）」、あるいは類似専門用語の参照は、実施形態に関連して説明される特定の特徴、構造、または特性が、少なくとも、一実施形態に含まれ、必ずしも、全実施形態に存在しなくてもよいことを意味する。したがって、語句「ｉｎ  ｏｎｅ  ｅｍｂｏｄｉｍｅｎｔ（一実施形態では）」、「ｉｎ  ａｎ  ｅｍｂｏｄｉｍｅｎｔ（ある実施形態では）」、または「ｉｎ  ａ  ｓｐｅｃｉｆｉｃ  ｅｍｂｏｄｉｍｅｎｔ（具体的実施形態では）」、あるいは本明細書全体を通した種々の場所における類似専門用語の個別の表出は、必ずしも、同一の実施形態を参照するわけではない。さらに、任意の特定の実施形態の特定の特徴、構造、または特性は、任意の好適な様式において、１つ以上の他の実施形態と組み合わせられてもよい。本明細書に説明および図示される実施形態の他の変形例および修正も、本明細書の教示に照らして可能であって、本発明の精神および範囲の一部として見なされるべきであることを理解されたい。
【００７８】
本明細書における説明では、構成要素および／または方法の実施例等の多数の具体的詳細が、本発明の実施形態の完全理解をもたらすために提供される。しかしながら、当業者は、実施形態が、具体的詳細のうちの１つ以上を伴わずに、もしくは他の装置、システム、アセンブリ、方法、構成要素、材料、部品、および／または同等物を伴って、実践されることが可能であり得ることを認識するであろう。他の事例では、周知の構造、構成要素、システム、材料、または動作は、本発明の実施形態の側面を曖昧にすることを回避するために、具体的に示されない、または詳細に説明されない。本発明は、特定の実施形態を使用することによって図示され得るが、これは、本発明の限定ではなく、それを任意の特定の実施形態に限定するものでもなく、当業者は、付加的実施形態が、容易に理解可能であって、本発明の一部であることを認識するであろう。
【００７９】
また、図面／図に描写される要素のうちの１つ以上は、特定の用途に従って有用であるようなある場合には、より分離される、または統合される様式において、実装される、あるいは除去される、または動作不能にさえされ得ることを理解されたい。加えて、図面／図における任意の信号矢印は、別様に具体的に記載されない限り、例示としてのみ見なされ、限定するものではない。
【００８０】
本明細書に詳細に説明された代表的実施形態は、一例として提示され、限定としてではない。種々の変更が、説明される実施形態の形態および詳細に成され、添付の請求項の範囲内である、均等物実施形態をもたらしてもよいことが、当業者によって理解されるであろう。
【図１】
2020099779.tif 000002
【図２Ａ】
2020099779.tif 000003
【図２Ｂ】
2020099779.tif 000004
【図３】
2020099779.tif 000005
【図４】
2020099779.tif 000006
【図５】
2020099779.tif 000007
【図６】
2020099779.tif 000008
【図７】
2020099779.tif 000009
【図８】
2020099779.tif 000010
【図９】
2020099779.tif 000011
【外国語明細書】
2020099779000001.pdf